(57)【要約】      （修正有）【課題】寿命末期に達した放電ランプを新品の放電ランプに容易に交換することのできるものでありながら、ケーシングが大型化することのない光源装置を提供することを目的とする。【解決手段】ケーシング内に、放電ランプと集光反射鏡と前方側支持体と後方側支持体が配置された光源装置であって、前記前方側支持体は、前記ケーシングに設置された固定部材と、前記放電ランプの一方の側管部を支えるアーム部が設けられ、固定部材に対して回動することができるよう連結された回動部材とを備え、  前記アーム部は、前記回動部材が回動することにより、前記放電ランプを支持するときの位置と、前記放電ランプが進入或いは退出することができる位置との間にわたり回動することを特徴とする。【選択図】図１
2008070735.tif 000002
【特許請求の範囲】
【請求項１】
前方側の面に光放射口が設けられたケーシングと、内部に一対の電極が対向して配置された発光管部とこの発光管部の両端に連続して伸びる一対の側管部とを備え、ケーシング内に収容された放電ランプと、放電ランプから放射された光をケーシングの光放射口に向けて反射させる反射面が形成されると共に放電ランプの側管部を挿通させる開口が形成され、ケーシング内に収容された集光反射鏡と、光放射口側に位置する一方の側管部を支持する前方側支持体と、光放射口と逆側に位置する他方の側管部を支持する後方側支持体とを備え、前方側支持体と後方側支持体とにより、集光反射鏡の開口に放電ランプの他方の側管部が挿通された状態で放電ランプの管軸が集光反射鏡の光軸に一致するよう、集光反射鏡に対して放電ランプが配置された光源装置であって、
前記前方側支持体は、前記ケーシングに設置された固定部材と、前記放電ランプの一方の側管部を支えるアーム部が設けられ、固定部材に対して回動することができるよう連結された回動部材とを備え、
前記アーム部は、前記回動部材が回動することにより、前記放電ランプを支持するときの位置と、前記放電ランプが進入或いは退出することができる位置との間にわたり回動することを特徴とする光源装置。
【請求項２】
前記前方側支持体は、前記回動部材に設けられたアーム部が、前記放電ランプの側方側に回動することを特徴とする請求項１に記載の光源装置。
【請求項３】
前記前方側支持体は、前記回動部材に設けられた係合用切欠きに対し、前記固定部材に設けられた回動規制部材における係合部が係合されると共に、回動規制部材の締付けにより、回動部材に設けられたアーム部が放電ランプを支持するときの位置に位置決めされることを特徴とする請求項１に記載の光源装置。
【請求項４】
前記前方側支持体は、前記固定部材と前記回動部材との間にわたり弾性部材が張り渡されており、この弾性部材からの付勢力により、前記回動部材に設けられた係合用切欠きに対し前記固定部材に設けられた回動規制部材における係合部が係合された、回動部材に設けられたアーム部が放電ランプを支持するときの位置、或いは、放電ランプが進入或いは退出することができる位置の何れかに位置決めされることを特徴とする請求項１に記載の光源装置。
【請求項５】
前記アーム部は、前記放電ランプの一方の側管部を支持しているとき、前記回動部材に固定され、放電ランプの管軸と直交する方向に伸びる支柱部を備え、
この支柱部は、支柱部から分岐して前記放電ランプの側管部を支える載置部と、前記放電ランプの管軸方向において一方の側管部と対向するよう、放電ランプの管軸と直交する方向に伸びる管軸直交部とを備えていることを特徴とする請求項１ないし請求項４に記載の光源装置。
【発明の詳細な説明】
【技術分野】
【０００１】
本発明は、プロジェクタ装置に搭載される光源装置および光源装置の製造方法に関し、特に、光源としてキセノンガスを発光媒体とする高輝度のショートアーク型の放電ランプを備えた光源装置に関する。
【背景技術】
【０００２】
近年、映画上映においては、高画質な映像を提供できることからデジタルシネマ用のプロジェクタ装置が使用されつつあり、デジタルシネマ用のプロジェクタ装置においては、大画面に対して鮮明な映像を投影させるために、高輝度の光源を使用する必要がある。そのため、太陽光に近い波長の光を放射するとともに、定格電力が２〜６ｋＷ程度の大型のショートアーク型のキセノンランプを備えた光源装置が使用されている。
【０００３】
従来の光源装置について、図１を参照しながら以下に説明する。
光源装置１０は、ケーシング基板１１１と、前方側の面に光放射口１１２ａが設けられたケーシングカバー１１２とを組合わせてなるケーシング１１を備える。ケーシング１１の内部には、発光管部１２１とその両端に連続して伸びる側管部１２２（１２２ａ，１２２ｂ）とを備える放電ランプ１２と、反射鏡支持体１３に支持された、放電ランプ１２から放射される可視光を直接反射して光放射口１１２ａに向けて集光する後方側集光反射鏡１４、および放電ランプ１２から放射される光のうち後方側集光反射鏡１４により捕捉されず前方へ放射される光を反射して後方側集光反射鏡１４に戻す前方側反射鏡１５と、放電ランプ１２の一方の側管部１２２ａを支持する前方側支持体１６と、放電ランプ１２の他方の側管部１２２ｂを支持すると共に放電ランプ１２の位置調整を行う後方側支持体１７と、が収容されている。
【０００４】
放電ランプ１２は、略球状の発光管部１２１と、この発光管部１２１の両端に連続する一対の側管部１２２ａ，１２２ｂとより構成され、発光管部１２１の内部には、一対の電極１２３ａ，１２３ｂが対向して配置されると共に、点灯時におけるキセノンガスの蒸気圧が３ＭＰａ〜８ＭＰａの範囲内となるようにキセノンガスが封入されている。放電ランプ１２の各々の側管部１２２ａ，１２２ｂの端部には、円筒形状を有する給電用の口金１２４ａ，１２４ｂが取付けられ、口金１２４ａ，１２４ｂの端部から、それぞれ電極１２３ａ，１２３ｂが突出することにより、電極１２３ａ，１２３ｂと口金１２４ａ，１２４ｂとがそれぞれ電気的に接続されている。
放電ランプ１２は、一方の側管部１２２ａに設けられた口金１２４ａが、前方側支持体１６によって支持されると共に、他方の側管部１２２ｂに設けられた口金１２４ｂから突出した電極１２３ｂが、後方側支持体１７に螺子止めされた状態で後方側支持体１７によって支持されている。放電ランプ１２は、その管軸が後方側集光反射鏡１４の光軸および大地（ケーシング基板１１１）と平行に伸びる姿勢で保持されている。
【０００５】
放電ランプ１２の側管部１２２ａ，１２２ｂに取付けられた口金１２４ａ，１２４ｂを介して、ケーシング１１の外部に配置された点灯電源（不図示）によって、発光管部１２１内に配置された一対の電極１２３ａ，１２３ｂに対して給電され、一対の電極１２３ａおよび１２３ｂ間で絶縁破壊を生じることにより生成された放電アークから可視光が放射される。このような放電ランプ１２は、定格点灯電力が２〜６ｋＷの範囲であって、重量が０．５〜１．０キログラムである。
【０００６】
而して、このような従来の光源装置においては、放電ランプ１２の累積の点灯時間が長くなって寿命末期になると、発光部１２１内に対向して配置された一対の電極１２３ａ，１２３ｂを構成する物質（例えばタングステン）が蒸発飛散することに伴う、電極構成物質が発光部１２１の内壁に付着することによる発光部１２１に黒化を生じる黒化現象、或いは電極１２３が損耗することに伴う、放電アークに揺らぎを生じる所謂フリッカー現象が発生する。従って、放電ランプが寿命末期に達することに伴い適宜新しい放電ランプに交換することが必要となる。
【０００７】
新品の放電ランプへの交換は、以下のようにして、作業者の手作業により行われる。まず、ケーシング１１においてケーシング基板１１１からケーシングカバー１１２を取外した後、後方側支持体１７の螺子を緩めることにより後方側支持体１７から放電ランプ１２の他方の側管部１２２ｂをフリーな状態にする。そして、後方側集光反射鏡１４および前方側反射鏡１５の開口１４１ａ，１４１ｂ，１５１ａ，１５１ｂを放電ランプ１２の他方の側管部１２２ｂが挿通するよう、後方側集光反射鏡１４および前方側反射鏡１５の前方側へ向けて放電ランプ１２を引っ張りだすことにより、寿命末期に達した放電ランプを退出させる。
その後、前方側反射鏡１５および後方側集光反射鏡１４の開口１５１ａ，１５１ｂ，１４１ａ，１４１ｂに対して、新品の放電ランプ１２の他方の側管部１２２ｂが挿通するよう、前方側反射鏡１５の前方側から放電ランプ１２を進入させて、他方の側管部１２２ｂに取付けられた口金１２４ｂから突出した電極１２３ｂを後方側支持体１７に螺子止めした後、一方の側管部１２２ａに取付けられた口金１２４ａを前方側支持体１６上に配置する。
このようにして、寿命末期に達した放電ランプが新品の放電ランプに交換されている。
【０００８】
上記のように、放電ランプの交換においては、後方側集光反射鏡１４および前方反射鏡１５の前方側から放電ランプ１２を進入或いは退出させている。その理由は、後方側集光反射鏡１４の後方側の開口１４１ｂが、放電ランプから放射された光を最大限にケーシング１１の光放射口１１２ａから放射させるような大きさとされているから、後方側の開口１４１ｂに対して発光部１２１を挿通させることができないからである。
【０００９】
然るに、従来の光源装置においては、上記のようにして放電ランプを新品のものと交換するために、後方側集光反射鏡１４および前方側反射鏡１５の前方側から放電ランプを進入或いは退出させた際に、放電ランプ１２の発光部１２１或いは側管部１２２ａ，１２２ｂが、ケーシング基板上に不動状態となるよう固定された金属製の前方側支持体１６に接触して、発光部１２１或いは側管部１２２ａ，１２２ｂが破損するおそれがあった。そして、このような破損のおそれを避けようとすれば、極めて注意深く放電ランプを進入或いは退出させることが必要となるから、特に、上記したように高輝度化に伴い重量が０．５〜１．０キログラムの大型の放電ランプを進入・退出させる場合においては交換作業が困難になる、という問題があった。
【００１０】
なお、特許文献２には、放電ランプを定期的に交換する際に、凹面反射鏡を支持するケーシングを映写機などの画像表示装置から取り外すことなく、放電ランプの定期的な交換を容易に行うことのできる光源装置が開示されている。これによれば、光照射窓と逆側に位置する放電ランプの封止部を支持する後方側保持部材を蝶番を介して後方に略９０度倒すことにより、放電ランプの凹面反射鏡からの取り出し経路から後方側保持部材を退避させた状態で、放電ランプの交換を行うことが記載されている。
【００１１】
しかしながら、特許文献２に記載された光源装置によれば、凹面反射鏡を支持するケーシングを画像表示装置から取り外すことなく、後方側支持部材を後方に倒しているので、ケーシングの全長には後方側支持部材の全長に相当する長さが加わることから、凹面反射鏡の光軸方向におけるケーシングの全長が長くなり、光源装置の大型化を避けられないという問題があった。
さらには、特許文献２に記載された光源装置においては、凹面反射鏡の開口に対し、放電ランプの封止部に連続して封止部の外径よりも大径に形成された球状の発光部を通過させることにより放電ランプを交換しているため、以下のような問題がある。すなわち、凹面反射鏡に対して放電ランプの発光部が通過できるような大きさの開口を形成すると、凹面反射鏡によって捕捉される光束量が減少して、ケーシングの光照射窓から出射する光束量が画像表示装置に要求される水準を下回るという問題がある。
【特許文献１】特開２００１−３１９５０２号
【特許文献２】特開２００６−１９０７８号
【発明の開示】
【発明が解決しようとする課題】
【００１２】
本発明は、以上のような事情に鑑みてなされたものであり、寿命末期に達した放電ランプを新品の放電ランプに容易に交換することのできるものでありながら、ケーシングが大型化することのない光源装置を提供することを目的とする。
【課題を解決するための手段】
【００１３】
本発明は、上記の課題を解決するために、以下のような手段を採用した。
第１の手段は、前方側の面に光放射口が設けられたケーシングと、内部に一対の電極が対向して配置された発光管部とこの発光管部の両端に連続して伸びる一対の側管部とを備え、ケーシング内に収容された放電ランプと、放電ランプから放射された光をケーシングの光放射口に向けて反射させる反射面が形成されると共に放電ランプの側管部を挿通させる開口が形成され、ケーシング内に収容された集光反射鏡と、光放射口側に位置する一方の側管部を支持する前方側支持体と、光放射口と逆側に位置する他方の側管部を支持する後方側支持体とを備え、前方側支持体と後方側支持体とにより、集光反射鏡の開口に放電ランプの他方の側管部が挿通された状態で放電ランプの管軸が集光反射鏡の光軸に一致するよう、集光反射鏡に対して放電ランプが配置された光源装置であって、
前記前方側支持体は、前記ケーシングに設置された固定部材と、前記放電ランプの一方の側管部を支えるアーム部が設けられ、固定部材に対して回動することができるよう連結された回動部材とを備え、
前記アーム部は、前記回動部材が回動することにより、前記放電ランプを支持するときの位置と、前記放電ランプが進入或いは退出することができる位置との間にわたり回動することを特徴とする。
【００１４】
第２の手段に係る前記前方側支持体は、前記回動部材に設けられたアーム部が、前記放電ランプの側方側に回動することを特徴とする。
【００１５】
第３の手段に係る前記前方側支持体は、前記回動部材に設けられた係合用切欠きに対し、前記固定部材に設けられた回動規制部材における係合部が係合されると共に、回動規制部材の締付けにより、回動部材に設けられたアーム部が放電ランプを支持するときの位置に位置決めされることを特徴とする。
【００１６】
第４の手段に係る前記前方側支持体は、前記固定部材と前記回動部材との間にわたり弾性部材が張り渡されており、この弾性部材からの付勢力により、前記回動部材に設けられた係合用切欠きに対し前記固定部材に設けられた回動規制部材における係合部が係合された、回動部材に設けられたアーム部が放電ランプを支持するときの位置、或いは、放電ランプが進入或いは退出することができる位置の何れかに位置決めされることを特徴とする。
【００１７】
第５の手段に係る前記アーム部は、前記放電ランプの一方の側管部を支持しているとき、前記回動部材に固定され、放電ランプの管軸と直交する方向に伸びる支柱部を備え、
この支柱部は、支柱部から分岐して前記放電ランプの側管部を支える載置部と、前記放電ランプの管軸方向において一方の側管部と対向するよう、放電ランプの管軸と直交する方向に伸びる管軸直交部とを備えていることを特徴とする。
【発明の効果】
【００１８】
本発明の第１の手段によれば、寿命末期に達した放電ランプを新品の放電ランプに交換するために放電ランプを進入或いは退出させるとき、放電ランプの一方の側管部を支持する前方側支持体おけるアーム部を、アーム部が固定された回動部材を回動させることにより、放電ランプが進入或いは退出するときの経路外へ退避させることができる。これにより、放電ランプを進入或いは退出させるときに、前方側支持体のアーム部が放電ランプに接触するおそれがなくなり、放電ランプが破損する心配がないので、放電ランプの交換作業を容易に行うことができる。
【００１９】
本発明の第２の手段によれば、前記前方側支持体におけるアーム部が、放電ランプの側方側に回動することから、アーム部が放電ランプの手前側に回動することに比較して、放電ランプの管軸方向におけるケーシングの全長を短縮することができるため、光源装置が大型化することがない。
【００２０】
本発明の第３の手段によれば、前記回動部材に設けられた係合用切欠きに対し、前記固定部材に設けられた回動規制部材における係合部が係合された状態で、回動規制部材の締付けにより固定部材と回動部材とが係合されるため、回動部材に設けられたアーム部を放電ランプを支持するときの所定の位置に容易に位置決めすることができる。
【００２１】
本発明の第４の手段によれば、前記固定部材と前記回動部材との間にわたり弾性部材が張り渡されており、この弾性部材からの付勢力を利用することにより、回動部材に設けられた係合用切欠きに対して回動規制部材における係合部が確実に係合されて、回動規制部材による締付けを容易に行うことができる。本発明の第４の手段による効果について、以下に補足する。
【００２２】
作業者の一方の手は、後方側支持体に他方の側管部が固定された状態にある放電ランプを掴んで支えねばならず塞がった状態にある。弾性部材を有しない場合には、他方の手のみで、回動部材における係合用切欠きに対して回動規制部材における係合部が係合した状態を保たれるよう回動部材の回動を押さえながらも、回動規制部材の締付けを行わねばならない。そのため、回動部材におけるアーム部を放電ランプを支持するときの所定の位置に配置することに熟練を要する。
然るに、本発明の第４の手段によれば、弾性部材の付勢力によって、回動部材の係合用切欠きに対して、固定部材に設けられた回動規制部材における係合部が係合され続けるから、他方の手で回動部材の回動を押さえている必要がなくなる。従って、他方の手で回動規制部材の締付けを行うのみで、回動部材におけるアーム部を放電ランプを支持するときの所定の位置に確実に位置決めできるため、作業性が向上する。
しかも、本発明の第４の手段によれば、放電ランプを進入或いは退出できる位置にアーム部が配置された状態で継続的に固定することができるため、放電ランプを進入或いは退出させている際に、不意に回動部材が放電ランプに向けて回動することにより、アーム部が放電ランプに接触して放電ランプを破損させるといった心配もない。
【００２３】
本発明の第５の手段によれば、回動部材に設けられたアーム部における支柱部が、放電ランプの管軸方向において放電ランプの側管部に対向している管軸直交部を備えているため、放電ランプが点灯時に破裂したとしても、放電ランプの破片がケーシングの光放射口からケーシング外に飛散することが防止され、光源装置の周辺機器に悪影響を与える心配がない。
【発明を実施するための最良の形態】
【００２４】
図１、２を用いて本発明の光源装置に係る実施形態について説明する。図１は、本発明に係る光源装置の全体構成の一例を示す断面図である。図２は、図１に示される光源装置の前方側支持体を正面から見たときの正面図である。
光源装置１０は、ケーシング基板１１１と、前方側の面に光放射口１１２ａが設けられたケーシングカバー１１２とを組合わせてなるケーシング１１を備え、ケーシング１１は概ね直方体形状を有している。ケーシング１１の光放射口１１２ａは、開放されているか、或いは、例えば石英ガラスなどの光透過性材料からなる光放射窓が必要に応じて取付けられている。
【００２５】
ケーシング１１の内部には、発光管部１２１とその両端に連続して伸びる側管部１２２（１２２ａ，１２２ｂ）とを備える放電ランプ１２と、反射鏡支持体１３に支持された、放電ランプ１２から放射される可視光を直接反射して光放射口１１２ａに向けて集光する後方側集光反射鏡１４、および放電ランプ１２から放射される光のうち後方側集光反射鏡１４により捕捉されない光を反射して後方側集光反射鏡１４に戻す前方側反射鏡１５と、放電ランプ１２の一方の側管部１２２ａを支持する前方側支持体１６と、放電ランプ１２の他方の側管部１２２ｂを支持すると共に放電ランプ１２の位置調整を行う後方側支持体１７と、が収容されている。
【００２６】
放電ランプ１２は、略球状の発光管部１２１と、この発光管部１２１の両端に連続する一対の側管部１２２ａ，１２２ｂとより構成されている。発光管部１２１の内部には、例えばタングステンからなる一対の電極１２３ａ，１２３ｂが対向して配置されると共に、発光媒体として例えばキセノンガスが封入されている。
【００２７】
一対の電極１２３ａおよび１２３ｂ間の離間距離は、電極間に形成されるアーク放電の輝点を小さくすることで高輝度化するため、例えば３ｍｍ〜８ｍｍの範囲とされている。発光管部１２１内に封入されたキセノンガスの封入量は、点灯時におけるキセノンガスの蒸気圧が３ＭＰａ〜８ＭＰａの範囲内となるように決められている。
【００２８】
放電ランプ１２の各々の側管部１２２ａ，１２２ｂの端部には、円筒形状を有する給電用の口金１２４ａ，１２４ｂが取付けられている。口金１２４ａ，１２４ｂの端部から、それぞれ、側管部１２２ａ，１２２ｂ内を放電ランプ１２の管軸方向に伸びている電極１２３ａ，１２３ｂが突出しており、突出した電極１２３ａ，１２３ｂと口金１２４ａ，１２４ｂとがそれぞれ電気的に接続されている。
【００２９】
放電ランプ１２は、一方の側管部１２２ａに設けられた口金１２４ａが、前方側支持体１６によって支持されると共に、他方の側管部１２２ｂに設けられた口金１２４ｂから突出する電極１２３が後方側支持体１７に螺子止めされている。これにより、放電ランプ１２は、その管軸が後方側集光反射鏡１４の光軸および大地（ケーシング基板１１１）と平行に伸びる姿勢で保持されている。
【００３０】
放電ランプ１２の側管部１２２ａ，１２２ｂに取付けられた口金１２４ａ，１２４ｂを介して、ケーシング１１の外部に配置された点灯電源（不図示）によって、発光管部１２１内に配置された一対の電極１２３ａ，１２３ｂに対して給電され、一対の電極１２３ａおよび１２３ｂ間で絶縁破壊を生じることにより生成された放電アークから可視光が放射される。このような放電ランプ１２は、定格点灯電力が２〜６ｋＷの範囲であって、重量が０．５〜１．０キログラムである。
【００３１】
ケーシング１１の内壁には、反射鏡支持体１３が固定されており、反射鏡支持体１３によって、後方側集光反射鏡１４および前方側反射鏡１５がケーシング１１内における所定の位置に設置されている。
【００３２】
後方側集光反射鏡１４は、前方側および後方側に開口１４１（１４１ａ，１４１ｂ）が設けられ、放電ランプ１２から放射された光をケーシング１１の光放射口１１２ａに向けて反射する回転楕円反射面が形成されている。後方側集光反射鏡１４の後方側の開口１４１ｂは、放電ランプ１２の封止管部１２２ｂ（口金１２４ｂ）は挿通できるが、発光管部１２１は挿通することのできない大きさに設計されている。後方側集光反射鏡１４における回転楕円反射面は、可視光を反射する誘電体多層膜により形成されている。
後方側集光反射鏡１４の第１焦点に、放電ランプ１２の対向して配置される一対の電極１２３ａ，１２３ｂ間における輝点が形成されるべき箇所が一致している。
【００３３】
前方側反射鏡１５は、前方側および後方側に開口１５１ａおよび１５１ｂが設けられ、放電ランプ１２から放射される光のうち、後方側集光反射鏡１４で捕捉することのできない光を、電極１２３ａ，１２３ｂ間に形成される輝点を通過すると共に後方側集光反射鏡１４に向けて反射する球面反射面を有する。
【００３４】
前方側支持体１６について、図３ないし図５を用いて説明する。図３は、回動部材におけるアーム部が放電ランプの一方の側管部を支持するときの位置に配置された状態を示し、図４は、回動部材におけるアーム部が放電ランプを進入或いは退出させることのできる位置に配置された状態を示し、図５は、前方側支持体を斜め上方から見たときの斜視図である。
【００３５】
図３に示すように、前方側支持体１６は、ケーシング基板上に螺子止めされた基板部１６１と、基板部１６１上に螺子止めされた概ねＬ字形状を有する固定部材１６２と、固定部材１６２に対して連結部材１６４により回動自在に連結された回動部材１６３とから構成されている。
【００３６】
図３，５に示すように、固定部材１６２は、ケーシング基板１１１上に固定され、放電ランプ１２の管軸（以下、単に管軸ともいう）と平行方向に伸びる底面部１６２ａと、底面部１６２ａに連続して底面部１６２ａと垂直方向に伸びて、回動部材１６３に連結するための連結部材１６４を挿通する開口１６２ｄが設けられた連結面１６２ｂと、連結面１６２ｂの側端部に連続して、管軸と平行方向に底面部１６２ａと逆側に向けて伸びる弾性部材固定面１６２ｃとを備えて構成されている。弾性部材固定面１６２ｃには、後述する弾性部材を取付けるための開口１６２ｅが設けられている。
【００３７】
連結面１６２ｂにおける基板部１６１と逆側の端部近傍には、回動部材１６３の回動を規制するための回動規制部材１６５が設けられている。回動規制部材１６５は、図５に示されるように、回動部材１６３の係合用切欠き１６３ａに対して係合される、螺子加工が施された棒状の係合部１６５ａが管軸と平行に伸びるよう設けられている。係合部１６５ａには、回動部材１６３を締付けることにより回動部材１６３の回動を規制する規制部１６５ｂが螺合されている。
【００３８】
回動部材１６３は、固定部材１６２の連結面１６２ｂに対して連結される連結面１６３ｂを備えている。連結面１６３ｂには、図４に示されるように、連結部材１６４を挿入するための開口が設けられていると共に、回動規制部材１６５における係合部１６５ａが係合される係合用切欠き１６３ａが設けられている。係合用切欠き１６３ａは、係合部１６５ａの径よりも若干大きい幅および深さを有している。回動部材１６３が固定部材１６２に対して回動して、係合用切欠き１６３ａに対して係合部１６５ａが係合されると共に規制部１６５ｂを締付けることにより、回動部材１６３の回動が規制され、放電ランプ１２の一方の側管部１２２ａを支持する位置に後述のアーム部１６６を位置決めすることができる。
【００３９】
回動部材１６３は、固定部材１６２の連結面１６２ｂと接触する連結面１６３ｂの一方側の面に、放電ランプ１２の一方の側管部１２２ａを支持するアーム部１６６が固定されている。管軸を含む平面で切断した断面がコの字状の板状部材１６３ｃとボルト１６３ｄとナット１６３ｅを使用することにより、回動部材１６３に対してアーム部１６６が固定されている。詳細には、連結面１６３ｂと連結面１６３ｂの一方側の面に配置された板状部材１６３ｃとの間にアーム部１６６の支柱部１６６ａを挟んだ状態で、板状部材１６３ｃおよび連結面１６３ｂに設けられた開口を貫通するよう板状部材１６３ｃの背面側からボルト１６３ｄを挿入して、連結面１６３ｂから突出したボルト１６３ｄの先端部に対してナット１６３ｅを取付ける。これにより、板状部材１６３ｃと連結面１６３ｂとの間にアーム部１６６の支柱部１６６ａが挟持されている。
【００４０】
放電ランプ１２の一方の側管部１２２ａを支えるアーム部１６６は、後述の後方側支持体１７による放電ランプ１２のＸ，Ｙ，Ｚ軸方向における位置調整を行うにあたり、Ｘ，Ｙ，Ｚ軸方向における位置を微調整する必要がある。アーム部１６６のＸ，Ｙ軸方向については、基板部１６１および固定部材１６２を固定する前にケーシング基板１１１上をスライドさせるようにして位置調整され、アーム部１６６のＺ軸方向については、板状部材１６３ｃに対して挿入される支柱部１６６ａの挿入長を変えることにより位置調整されている。
【００４１】
アーム部１６６は、放電ランプ１２の一方の側管部１２２ａを支持するときに、回動部材１６３の連結面１６３ｂの一方側の面に固定され、管軸に対して鉛直方向（紙面において上側）に伸びる支柱部１６６ａと、図５に示されるように、支柱部１６６ａの途中から分岐して管軸と平行方向に伸びる管軸方向部１６６ｃの先端側に続き、二股に分かれたＶ字状部１６６ｄを備えた載置部１６６ｂとより構成されている。なお、管軸方向部１６６ｃの先端側に続く構成は、Ｖ字状部に限らずＹ字状部、Ｕ字状部、Ｔ字状部などでも良く、要は放電ランプ１２の一方の側管部１２２ａを載置することのできる構成であれば良い。
【００４２】
支柱部１６６ａは、図１ないし３に示されるように、管軸に対して鉛直方向（紙面において上側）に向けて、載置部１６６ｂとの分岐箇所より突出する管軸直交部１６６ｅを備えている。管軸直交部１６６ｅは、管軸方向において放電ランプ１２の一方の側管部１２２ａ（口金１２４ａ）と対向している。図１，２に示す例では、口金１２４ａにおける電極１２３ａが突出した箇所よりも下方側の面に管軸直交部１６６ｅが接触している。
このような管軸直交部１６６ｅを備えることにより、放電ランプ１２が点灯時において仮に破損したとしても、放電ランプ１２の破片がケーシング１１の光放射口１１２ａからケーシング１１の外方に飛散することが管軸直交部１６６ｅによって規制されるため、ケーシング１１の外方に飛散した放電ランプ１２の破片の影響を受けて光源装置の周辺機器が損傷する心配がない。
【００４３】
さらに、このような前方側支持体１６は、以下に説明するように、固定部材１６２と回動部材１６３との間にコイルバネ状の弾性部材１６７が張り渡されている。具体的には、回動部材１６３上には、弾性部材固定部１６８が例えば螺子止めされることにより固定され、この弾性部材固定部１６８と、固定部材１６２における弾性部材固定面１６２ｃに設けられた開口１６２ｅとの間に渡って弾性部材１６７が張り渡されている。
【００４４】
弾性部材１６７を備えた前方側支持体１６においては、図４に示されるように、弾性部材固定部１６８と開口１６２ｅに張り渡された弾性部材１６７の中心線Ｌが、固定部材１６２と回動部材１６３の支点Ｐ（図３に示す例では、連結部材１６４の中心部分）よりも下方側、即ち基板部１６１側に位置されるよう回動部材１６３を回動させることにより、放電ランプ１２を進入或いは退出できる位置にアーム部１６６が配置された状態で継続的に固定される。
その一方で、図３に示されるように、弾性部材１６７の中心線Ｌが、固定部材１６２と回動部材１６３の支点Ｐよりも上方側、即ち回動規制部材１６５側に位置されるよう回動部材１６３を回動させることにより、弾性部材１６７による付勢力が働き、回動部材１６３の係合用切欠き１６３ａに対して回転規制部材１６５の係合部１６５ａが係合されて、アーム部１６６が放電ランプ１２の一方の側管部１２２ａを支持する位置に配置された状態で継続的に固定される。
【００４５】
このような弾性部材１６７を備えることにより、寿命末期に達した放電ランプを新品のものと交換することに伴って新品の放電ランプを進入させる際に、作業者にとって以下のような利点を有する。
【００４６】
作業者の一方の手は、後方側支持体１７に他方の側管部１２２ｂが固定された状態にある放電ランプ１２を掴んで支えねばならず、塞がった状態である。よって、弾性部材を有しない場合には、他方の手のみで、回動部材１６３における係合用切欠き１６３ａに対して回動規制部材１６５における係合部１６５ａが係合した状態が保たれるよう、回動部材１６３の回動を押さえながら回動規制部材１６５の締付けを行わねばならない。そのため、回動部材におけるアーム部を放電ランプを支持するときの所定の位置に配置することに熟練を要する。
上記の本発明に係る前方側支持体１６の構成によれば、作業者は、他方の手により弾性部材の中心線Ｌが固定部材１６２と回動部材１６３の支点Ｐよりも上方側に位置されるよう回動部材１６３を回動させさえすれば、弾性部材１６７の付勢力が働くことにより、係合用切欠き１６３ａに対して係合部１６５ａが係合され続けるから、他方の手で回動部材１６３を押さえている必要がなくなり、規制部１６５ｂの締付けを行うのみで済む。従って、放電ランプの交換作業の作業性が向上して、回動部材１６３におけるアーム部１６６を放電ランプ１２を支持するときの所定の位置に確実に位置決めすることができる。
【００４７】
しかも、上記したように、弾性部材１６７の中心線Ｌが、固定部材１６２と回動部材１６３の支点Ｐよりも下方側に位置されるよう回動部材１６３を回動させれば、放電ランプ１２を進入或いは退出できる位置にアーム部１６６が配置された状態で継続的に固定することができる。そのため、放電ランプを進入或いは退出させている際に、不意に回動部材１６３が放電ランプに向けて回動することにより、アーム部１６６が放電ランプに接触して放電ランプを破損させるといった心配もない。
【００４８】
図１に戻り、後方側支持体１７は、放電ランプ１２の他方の側管部１２２ｂを固定すると共に、放電ランプ１２の位置調整を行うものである。後方側支持体１７は、新品の放電ランプへの交換作業を行う際には、前方側支持体１６における回動部材１６３が回動できる程度に放電ランプ１２を上方側に持ち上げることができるよう、放電ランプ１２を固定している。
【００４９】
上記のような構成を有する前方側支持体１６の動作について、寿命末期に達した放電ランプを新品のものと交換する作業の手順と共に以下に説明する。
【００５０】
寿命末期に達した放電ランプ１２を退出させるため、ケーシング１１のケーシングカバー１１２を取外す。そして、前方側支持体１６のアーム部１６６が放電ランプ１２の側方側に回動することができるよう、放電ランプ１２の一方の側管部１２２ａを一方の手で掴んで放電ランプ１２を斜め上方にやや持ち上げながら、他方の手で規制部１６５ｂの締付けを緩めると共に、弾性部材１６７の中心線Ｌが固定部材１６２と回動部材１６３との支点Ｐよりも下方側に位置されるよう回動部材１６３を回動させることにより、アーム部１６６を放電ランプ１２の退出時に邪魔にならない位置に配置する。具体的には、放電ランプの進入或いは退出時には、アーム部１６６の支柱部１６６ａの中心線と管軸に対して鉛直方向（紙面において上側）に伸びる直線とでなす角が４５°〜６０°の範囲となるようアーム部１６６を退避させることが好ましいが、当該角が６０°〜９０°の範囲となるようアーム部１６６を退避させても良い。
その後、後方側支持体１７の螺子を緩めて放電ランプ１２の他方の側管部１２２ｂを後方側支持体１７から取外し、放電ランプ１２の他方の側管部１２２ｂ（口金１２４ｂ）が、後方側集光反射鏡１４および前方側反射鏡１５の開口１４１ａ，１４１ｂ，１５１ａ，１５１ｂを通過するよう、放電ランプ１２を退出させる。
このようにして、寿命末期に達した放電ランプ１２を後方側集光反射鏡１４および前方側反射鏡１５の前方側へ退出させる。
【００５１】
次に、アーム部１６６が放電ランプ１２の退出時に邪魔にならない位置に配置された状態で、新品の放電ランプ１２を後方側集光反射鏡１４および前方側反射鏡１５の前方側から進入させ、後方側集光反射鏡１４および前方側反射鏡１５の開口１４１ａ，１４１ｂ，１５１ａ，１５１ｂ内に放電ランプ１２の他方の側管部１２２ｂを通過させると共に、他方の側管部１２２ｂを後方側支持体１７に固定する。
その後、前方側支持体１６のアーム部１６６が管軸と直交方向に回動できるよう、一方の手で放電ランプ１２の一方の側管部１２２ａを掴んで放電ランプ１２を斜め上方にやや持ち上げながら、他方の手によって弾性部材１６７の中心線Ｌが固定部材１６２と回動部材１６３の連結点Ｐよりも上方側に位置されるよう回動部材１６３を回動させることにより、弾性部材１６７による付勢力を働かせて回動部材１６３の係合用切欠き１６３ａに対して回動規制部材１６５の係合部１６５ａを係合させた状態とする。この状態で、放電ランプ１２の側管部１２２ａから一方の手を離して、アーム部１６６のＶ字状部１６６ｄ上に側管部１２２ａを載置すると共に、規制部１６５ｂを締付けて回動部材１６３に設けられたアーム部１６６を放電ランプ１２の一方の側管部１２２ａを支持するときの位置に固定する。
このようにして、新品の放電ランプ１２の取付けが終了した後は、ケーシング基板１１１に対してケーシングカバー１１２を取付けることにより放電ランプの交換作業が完了する。
【００５２】
このように、放電ランプの進入或いは退出作業は、以下の理由により、後方側集光反射鏡１４および前方側反射鏡１５の前方側より行わざるを得ない。後方側集光反射鏡１４の後方側の開口１４１ｂは、放電ランプから放射された光を最大限にケーシング１１の光放射口１１２ａから放射させるため、放電ランプ１２の他方の側管部１２２ｂ（口金１２４ｂ）の外径に比して若干大きい程度に形成されており、発光部１２１を挿通させることができないからである。すなわち、後方側集光反射鏡１４の後方側から、放電ランプ１２の発光部１２１が開口１４１ｂを通過するよう放電ランプ１２を進入或いは退出させるのであれば本発明に係る構成を採用する意義に乏しいのであるが、本発明の光源装置においては、上記のような特殊な事情が存在することから、上記したような前方側支持体１６の構成を採用する必要性が生じるのである。
【００５３】
以上のような本発明に係る光源装置１０によれば、寿命末期に達した放電ランプ１２を新品のものに交換するために放電ランプ１２を進入或いは退出させるとき、放電ランプ１２の一方の側管部１２２ａを支持する前方側支持体１６におけるアーム部１６６を、アーム部１６６が固定された回動部材１６３を回動させることにより、放電ランプ１２の進入或いは退出の経路から退避させることができる。これにより、放電ランプ１２を進入或いは退出させるときに、前方側支持体１６のアーム部１６６が放電ランプ１２に接触するおそれがなくなり、放電ランプ１２が破損する心配がないので、放電ランプ１２の交換作業を容易に行うことができる。
【００５４】
しかも、前方側支持体１６における回動部材１６３が管軸と側方側に回動するため、ケーシング１１の全長を短縮できることから、光源装置が過剰に大型化することを回避することができる。
【００５５】
尚、上記した本発明の光源装置に係る実施の形態において、発光管部内に発光媒体としてキセノンガスが封入された放電ランプが搭載された光源装置について説明しているのは、あくまで一例に過ぎない。すなわち、本発明の光源装置に係る構成は、他の種類のランプにも当然に適用することができる。
【００５６】
また、上記した本発明の光源装置に係る実施の形態においては、回動部材が放電ランプの側方側に回動している構成について説明しているが、回動部材の回動方向は放電ランプの側方側に限定されるものではない。すなわち、光源装置が大型化することを厭わないのであれば、回動部材が光出射側に回動する構成を採用しても良い。
【００５７】
さらに、本発明の光源装置においては、放電ランプの一方の側管部を支持している前方側支持体に特徴を有しているから、特徴部分でないその他の構成については必要に応じて変更することができる。
【図面の簡単な説明】
【００５８】
【図１】本発明の光源装置の全体構成の概略を示す断面図である。
【図２】図１に示される光源装置の前方側支持体を正面から見たときの正面図である。
【図３】本発明の光源装置に係る前方側支持体の構成を示す説明用正面図である。
【図４】本発明の光源装置に係る前方側支持体の構成を示す説明用正面図である。
【図５】本発明の光源装置に係る前方側支持体の構成を示す説明用斜視図である。
【符号の説明】
【００５９】
１０        光源装置
１１        ケーシング
１１１      ケーシング基板
１１２      ケーシングカバー
１２        放電ランプ
１２１      発光管部
１２２ａ，１２２ｂ    側管部
１２３ａ，１２３ｂ    電極
１２４ａ，１２４ｂ    口金
１３        反射鏡支持体
１４        後方側集光反射鏡
１５        前方側反射鏡
１６        前方側支持体
１６１      基板部
１６２      固定部材
１６３      回動部材
１６３ａ    係合用切欠き部
１６４      連結部材
１６５      回動規制部材
１６５ａ    係合部
１６６      アーム部
１６６ｅ    管軸直交部
１６７      弾性部材
１７        後方側支持体
【図１】
2008070735.tif 000003
【図２】
2008070735.tif 000004
【図３】
2008070735.tif 000005
【図４】
2008070735.tif 000006
【図５】
2008070735.tif 000007